(57)【要約】【課題】  ファッション性や衛生面を重視しつつ、必要に応じてサンバイザーと目庇付きキャップ（またはつば無しキャップ）の何れとしても使用できるツーウェイキャップを提供する。【解決手段】  頭部を覆う椀形状のキャップ部（１２）と、半月形の目庇（１４）および該目庇の基端側において立設した状態で環状をなして目庇を頭部に固定する帯状体（１６）からなるサンバイザー部（１８）と、を有し、前記キャップ部は、着脱手段（２２）によって前記サンバーザー部の帯状体に着脱自在に取り付けられる。ここで前記目庇の下面側には基端側を開口する半月形のポケット（２６）が形成され、該ポケットには半月形の日除け体（２８）が収納されており、該日除け体は必要に応じて前記ポケットから取り出され、前記帯状体（１６）の後頭部に位置する部位に連結手段（３２）によって吊下げた状態で取り付けられる。【選択図】  図２
2006249647.tif 000002
【特許請求の範囲】
【請求項１】
頭部を覆う椀形状のキャップ部（１２）と、半月形の目庇（１４）および該目庇の基端側において立設した状態で環状をなして目庇を頭部に固定する帯状体（１６）からなるサンバイザー部（１８）と、を有し、
前記キャップ部は、着脱手段（２２）によって前記サンバーザー部の帯状体に着脱自在に取り付けられる、
ことを特徴とするツーウェイキャップ。
【請求項２】
頭部を覆う椀形状のキャップ部（１２）と、半月形の目庇（１４）および該目庇の基端側において立設する帯状体（１６）からなる庇部（２４）と、を有し、
該庇部は、着脱手段に（２２）よって前記キャップ部に着脱自在に取り付けられる、
ことを特徴とするツーウェイキャップ。
【請求項３】
前記着脱手段（２２）が、キャップ部（１２）の下端外面側および環状にした帯状体（１６）の内面に設けられたホックまたは着脱自在テープである、
ことを特徴とする請求項１に記載のツーウェイキャップ。
【請求項４】
前記着脱手段（２２）が、キャップ部（１２）の下端内面側および環状にした帯状体（１６）の外面に設けられたホックまたは着脱自在テープである、
ことを特徴とする請求項１に記載のツーウェイキャップ。
【請求項５】
前記着脱手段（２２）が、キャップ部（１２）の下端内面側および帯状体（１６）の目庇側を向く面に設けられたホックまたは着脱自在テープである、
ことを特徴とする請求項２に記載のツーウェイキャップ。
【請求項６】
前記目庇（１４）の下面側には基端側を開口する半月形のポケット（２６）が形成され、該ポケットには半月形の日除け体（２８）が収納されており、
該日除け体は必要に応じて前記ポケットから取り出され、前記帯状体（１６）の後頭部に位置する部位又は後頭部に位置する前記キャップ部（１２）の下端部位に連結手段（３２）によって吊下げた状態で取り付けられる、
ことを特徴とする請求項1、３又は４に記載のツーウェイキャップ。
【請求項７】
前記目庇（１４）の下面側には基端側を開口する半月形のポケット（２６）が形成され、該ポケットには半月形の日除け体（２８）が収納されており、
該日除け体は必要に応じて前記ポケットから取り出され、後頭部に位置する前記キャップ部（１２）の下端部位に連結手段（３２）によって吊下げた状態で取り付けられる、
ことを特徴とする請求項２又は５に記載のツーウェイキャップ。
【請求項８】
前記日除け体（２８）が高吸水性素材により作成され、または、高分子吸収体を内包する、
ことを特徴とする請求項６又は７に記載のツーウェイキャップ。
【請求項９】
前記日除け体（２８）には連結手段（３２）によって吊下げられた状態で取り付けられた際に外側を向く面に後部の者からの認識性を高めるための着色や後部の者へ伝えたい情報の記載がなされている、
ことを特徴とする請求項６乃至８のいずれかに記載のツーウェイキャップ。
【請求項１０】
前記キャップ部（１２）が額と接触する部分には、額の汗を吸収するための吸収体（３４）が取り付けられている、
ことを特徴とする請求項１乃至９のいずれかに記載のツーウェイキャップ。
【請求項１１】
前記吸収体（３４）が着脱式となっている、
ことを特徴とする１０に記載のツーウェイキャップ。
【発明の詳細な説明】
【技術分野】
【０００１】
本発明は必要に応じてサンバイザーまたはつば無しキャップとして使用することができるファッション性の高いツーウェイキャップに関する。また好ましくは、後ろ首筋への日光の直射を避けるための日除けを着脱可能にキャップ後部に取り付けることができるツーウェイキャップに関する。
【背景技術】
【０００２】
炎天下で屋外作業をする場合や屋外でスポーツをする場合には、日射病の発生予防等のため目庇付きのキャップが使用される。またスポーツ観戦時などには、直射日光から眼を保護し、また、前髪が視界を遮ることを目的とすると同時に、ファッション性をも重視したサンバイザーも使用されている。
これまで使用者は、その使用目的に応じて目庇付きのキャップかサンバイザーかを予め選択して持参する必要があった。
【０００３】
また最近では特許文献１の「日除けカバー付き帽子及び日除けカバー付きずきん」のように、使用者の後ろ首筋を炎天下等での直射日光や太陽熱から守るための日除けカバー付き帽子や、この日除けカバーに保冷材を内蔵して後ろ首筋を冷やすことを目的とした帽子なども創案されている。
【特許文献１】特開２００１−１４６６２１号公報
【発明の開示】
【発明が解決しようとする課題】
【０００４】
上述のように従来では、その使用目的に応じて目庇付き帽子やサンバイザーを選択して持参する必要があったが、その選択を誤ると折角持参した帽子やサンバイザーが有効に機能しないばかりでなく、邪魔となることもあった。また目庇付き帽子やサンバイザーの目庇の部分には、芯材としての厚紙やプラスティック板が内包されており、そのため頭部と接触する部分が汗や油脂によって汚れてしまった場合にも、これを洗濯機に投入して洗浄することができないといった問題があった。
【０００５】
また後ろ首筋を冷やすための特許文献１に記載の発明では、夕刻などに不要となって取り外した日除けカバーの紛失等を防止するために、日除けカバーが回転して帽子本体内に収納されるアイデアが創案されているが、日除けカバーを帽子本体内に収納した場合には、帽子の被り心地が悪くなるだけでなく、頭部が蒸れ易くなり、また、湿った日除けカバーが頭部に不快感を与えることがあるといった問題もあった。
【０００６】
本発明は上記問題点に鑑みて創案されたもので、その目的はファッション性や衛生面を重視するとともに、必要に応じてサンバイザーと目庇付きキャップの何れとしても使用できるツーウェイキャップや例えばヘルメットなどを被るときに用いるつば無しキャップと目庇付きキャップの何れとしても使用できるツーウェイキャップを提供することにある。
また本発明は、必要な場合には後ろ首筋を直射日光や太陽熱から守る日除け体（日除けカバー）を装着することができ、日除け体が不要となった場合にはこれを使用者に不快感を与えることなく適宜収納することができるツーウェイキャップを提供することをも目的とする。
【課題を解決するための手段】
【０００７】
上記目的を達成するため請求項１に記載のツーウェイキャップは、頭部を覆う椀形状のキャップ部（１２）と、半月形の目庇（１４）および該目庇の基端側において立設した状態で環状をなして目庇を頭部に固定する帯状体（１６）からなるサンバイザー部（１８）と、を有し、前記キャップ部は、着脱手段（２２）によって前記サンバーザー部の帯状体に着脱自在に取り付けられる、ことを特徴とする。
【０００８】
請求項２に記載のツーウェイキャップは、頭部を覆う椀形状のキャップ部（１２）と、半月形の目庇（１４）および該目庇の基端側において立設する帯状体（１６）からなる庇部（２４）と、を有し、該庇部は、着脱手段に（２２）よって前記キャップ部に着脱自在に取り付けられる、ことを特徴とする。
【０００９】
請求項３または請求項４に記載のツーウェイキャップは、前記着脱手段（２２）が、キャップ部（１２）の下端外面側（又は内面側）および環状にした帯状体（１６）の内面（又は外面）に設けられたホックまたは着脱自在テープである、ことを特徴とする。
【００１０】
請求項５に記載のツーウェイキャップは、前記着脱手段（２２）が、キャップ部（１２）の下端内面側および帯状体（１６）の目庇側の面に設けられたホックまたは着脱自在テープである、ことを特徴とする。
【００１１】
請求項６に記載のツーウェイキャップは、前記目庇（１４）の下面側には基端側を開口する半月形のポケット（２６）が形成され、該ポケットには半月形の日除け体（２８）が収納されており、該日除け体は必要に応じて前記ポケットから取り出され、前記帯状体（１６）の後頭部に位置する部位又は後頭部に位置する前記キャップ部（１２）の下端部位に連結手段（３２）によって吊下げた状態で取り付けられる、ことを特徴とする。
【００１２】
請求項７に記載のツーウェイキャップは、前記目庇（１４）の下面側には基端側を開口する半月形のポケット（２６）が形成され、該ポケットには半月形の日除け体（２８）が収納されており、該日除け体は必要に応じて前記ポケットから取り出され、後頭部に位置する前記キャップ部（１２）の下端部位に連結手段（３２）によって吊下げた状態で取り付けられる、ことを特徴とする。
【００１３】
請求項８に記載のツーウェイキャップは、前記日除け体（２８）が高吸水性素材により作成され、または、高分子吸収体を内包する、ことを特徴とする。
【００１４】
請求項９に記載のツーウェイキャップは、前記日除け体（２８）には連結手段（３２）によって吊下げられた状態で取り付けられた際に外側を向く面に後部の者からの認識性を高めるための着色や後部の者へ伝えたい情報の記載がなされている、ことを特徴とする。
【００１５】
請求項１０に記載のツーウェイキャップは、前記キャップ部（１２）が額と接触する部分には、額の汗を吸収するための吸収体（３４）が取り付けられている、ことを特徴とする。
【００１６】
請求項１１に記載のツーウェイキャップは、前記吸収体（３４）が着脱式となっている、ことを特徴とする。
【発明の効果】
【００１７】
請求項１に記載の発明によれば、頭部を覆う椀形状のキャップ部を、半月形の目庇および該目庇の基端側において立設した状態で環状をなして目庇を頭部に固定する帯状体からなるサンバイザー部に、着脱手段によって着脱することができるため、使用者はその使用目的に応じてキャップ部を着脱することで、通常の目庇付きキャップとしてもサンバイザーとしてもこれを使用することができる。また頭部と接触することで汗や油脂による汚れが付きやすいキャップ部をサンバイザー部と分離することができるため、使用者はこれをそのまま洗濯機に投入して洗濯することができるといった副次的効果もある。
【００１８】
請求項２に記載の発明によれば、頭部を覆う椀形状のキャップ部に、半月形の目庇および該目庇の基端側において立設する帯状体からなる庇部を、着脱手段によって着脱することができるため、使用者はその使用目的に応じて通常の目庇付きキャップとしても例えばヘルメットなどを被るときに用いるつば無しキャップとしてもこれを使用することができる。またキャップ部を庇部と分離することができるため、キャップ部を洗濯機を用いて容易に洗濯することもでき、衛生面にも優れるといった副次的効果もある。
【００１９】
請求項３、請求項４又は請求項５に記載の発明によれば、前記着脱手段としてホック又は着脱自在テープを用いることで、キャップ部と帯状体とを容易に着脱することができる。ここで請求項３のようにキャップ部の下端外面側にサンバイザー部の帯状体を取り付けるように構成してやれば、サンバイザー部の帯状体は頭部と接触することがなく、汗や油脂による汚れも付着しにくくなる。また請求項４又は請求項５のようにキャップ部の下端内面側に庇部の帯状体を取り付けるように構成してやれば、通常の目庇付き帽子と一見しただけでは変わることのないキャップが提供される。
【００２０】
請求項６および請求項７に記載の発明によれば、目庇の下面に形成したポケットに半月形の日除け体を収納し、必要に応じてこの日除け体をポケットから取り出して、後頭部に位置する部位のサンバイザー部の帯状体又はキャップ部の下端部位に吊下げた状態で取り付けることで、後ろ首筋を炎天下等での直射日光や太陽熱から守ることができる一方、夕刻などに日除け体が不要となった場合には、これを取り外してポケットに収納することで日除け体の紛失を防止することができる。ここで収納した日除け体は頭部と接触することがないため、被り心地の悪化や頭部の蒸れを招くことはない。なお目庇の下面にポケットを形成することなく、目庇の下面又は上面に、日除け体を着脱自在テープ等により接着して保持するように構成してやることも可能である。
【００２１】
請求項８に記載の発明によれば、日除け体を高吸水性素材により作成し、または、日除け体内に高分子吸収体を内包させ、この日除け体に水を吸わせてキャップの後部に吊下げた状態で取り付けることで、気化熱を利用して後ろ首筋を冷やし、使用者に冷感を与えることができる。なおポケット部は頭部と接触しないため、使用不要となった日除け体を湿っていた状態のままポケット部に収納したとしても、湿った日除け体が頭部に不快感を与えることはほとんどない。
【００２２】
請求項９に記載の発明によれば、使用者の後ろ首筋部分に吊下げられた状態で取り付けられた日除け体の外側を向く面に、後部の者からの認識性を高めるための着色（反射加工も含む）をすることで、後方へ使用者の存在をアピールして不慮の事故発生の回避に役立てることができる。例えば、ゴルフ場などにおいて後方の者に前方に人がいることをアピールすれば、ゴルフボールの直撃事故の発生回避に貢献することができる。また、日除け体に反射加工を施せば、日光を反射して後ろ首筋の温度上昇を効果的に抑制することができる。さらにこの日除け体に何らかの情報を印刷等してやれば、そのキャップを着用したグループの管理や種々の宣伝にこれを用いることができる。
【００２３】
請求項１０に記載の発明によれば、頭部、特に額にかいた汗を吸収するための吸収体をキャップ部が額と接触する部分に取り付けることで、額から滴る汗が視界を阻害することを抑制し、屋外作業の安全性向上、スポーツ時の集中力向上、装用感の向上に資することができる。また吸収体に吸収された汗は吸収体から気化する際に気化熱を奪うため、使用者に冷感を与えることができる。
【００２４】
請求項１１に記載の発明によれば、前記吸収体を着脱式とし、使用後にはこれを洗浄して再使用することができる。なお吸収体を使い捨ての交換式とすることも勿論可能である。
【発明を実施するための最良の形態】
【００２５】
以下、本発明の好ましい実施形態を図面を参照して説明する。図１及び図２は実施例１のツーウェイキャップの斜視図、図３はキャップ部のみの背面図、図４はサンバイザー部のみの斜視図、図５は図１のツーウェイキャップのＸ−Ｘ断面図である。
【実施例１】
【００２６】
図１乃至図４に示したように実施例１のツーウェイキャップ１０は、頭部を覆う椀形状のキャップ部１２と、半月形の目庇１４および帯状体１６からなるサンバイザー部１８と、から構成されており、キャップ部１２とサンバイザー部１８とを分離可能とした点を特徴としている。
【００２７】
キャップ部１２は図１乃至図３に示したように、６枚のメッシュ生地（三次元立体構造生地）からなる略二等辺三角形の三角布片４１（れんげ）を、その斜辺同士を相互に縫着結合することで頭部の形状に合うように椀形状に形成したもので、頭頂部となる部分において絶縁性の留め具によって全ての三角布片の頂角が括着されている。
またキャップ部１２の後頭部に位置する部位の２枚の三角布片には、図３に示したように半円形の切欠き部４３をキャップ部１２の後頭部に形成するように、底辺の一角が四分の一円弧形状だけ切り取られている。この切欠き部４３はキャップ使用者の頭周りのサイズに合わせて、キャップ部下端の円周長を調節するために設けられるものである。なお三角布片４１にはナイロン等の合成繊維、木綿等の天然繊維、天然繊維と合成繊維との混紡繊維が一般的に用いられるが、メッシュ生地としない場合にはフェルト、皮革なども使用することができる。
キャップ部１２の前面側となる２枚の三角布片の内面側には薄い生地が裏打ちされており、三角布片４１を縫着結合した内面側にはその縫着部に沿って所定幅の補強布４５が縫着されている。なお以上に説明したキャップ部１２の構成は従来の野球帽等のキャップ部とほぼ同様のものである。
【００２８】
本実施例のキャップ部１２には図３に示したように、三角布片４１を縫着結合した部分の下端近傍外周には、切欠き部部分を除く５箇所に、外側に向く雄ホックＡ１が取り付けられている。この雄ホックＡ１は後述するサンバイザー部１８の帯状体本体５１の雌ホックＢ１と係合して、キャップ部１２の下端の外周にサンバイザー部１８を結合する。
なお雄ホックおよび雌ホックにはゴルフ場等での落雷事故の発生予防のため、プラスティック等の絶縁性材料により製作されたものが用いられる。
【００２９】
また切欠き部４３を除くキャップ部１２の下端縁部の内周側には図２、図３及び図５に示したように、額の汗を吸収するための帯状の吸収体３４がキャップ部下端近傍内面側の雄ホック留めを隠すようにして縫着されている。なお図面は省略するが、この吸収体３４を縫着することなく、キャップ部１２の下端縁部の内周側に着脱自在テープ（いわゆるマジックテープ（登録商標））を用いて着脱自在に取り付けることも好ましい。吸収体３４を着脱式とすれば、キャップの使用により吸収体に汚れが付着した場合にも容易にこれを取り外して洗濯してやることができる。
【００３０】
さらに切欠き部４３と隣接するキャップ部下端の外周側には図３に示したように、雄の着脱自在テープ小片α１が縫い付けられている。この雄の着脱自在テープ小片α１は、後述するサンバイザー部１８のサイズ調整帯５３の雌の着脱自在テープ小片β１と係合することで、サイズ調整帯５３によるキャップサイズの調整に伴う切欠き部４３の変形による切欠き部下端のサンバイザー部からの離脱を防止する。
【００３１】
図４に示したサンバイザー部１８は、半月形の目庇１４および目庇１４の基端側において立設した状態で環状をなして目庇を頭部に固定する帯状体１６から構成される。本実施例の目庇１４は従来の目庇と同様に、ポリエチレン製の薄い芯材（図示せず）を半月板形状として、これに反りを与えて布などで被覆加工したものである。
【００３２】
また本実施例の目庇１４の下面には芯材よりも若干小さな大きさの半月形のポケット２６が形成されている（図５参照）。このポケット２６は目庇１４の外縁に沿って下面側の被覆布に縫合されており、目庇１４の基端側を開口して袋状をなしている。またこのポケット２６の開口縁のほぼ中央には、着脱自在テープ小片αβがタブ状に突起して縫い付けられている。この着脱自在テープ小片αβは、目庇基端側の被覆布に縫合された着脱自在テープ小片αβと係止して、ポケット２６内に収容した下記の日除け体２８がここから抜け落ちることを防止するとともに、開口縁が自重で垂れ下がることを防止する。
【００３３】
ポケット２６内には、開口縁より挿入することでポケット２６に適切に収容することができる大きさの半月形の日除け体２８が収納される（図７参照）。この日除け体２８は、高吸水性素材の布材により作成され（木綿等の布材内に高分子吸収体を内包した構成としてもよい）、その厚みは数ミリメートル程度である。またこの日除け体２８には、その２つの鋭角端の近傍に絶縁性の雌ホックＢ２がそれぞれ取り付けられている。この雌ホックＢ２は後述するサンバイザー部の雄ホックＡ２と係合して、サンバイザー部１８に日除け体２８を取り付けるために用いられる。
【００３４】
図４に示したように目庇１４を頭部に固定するための帯状体１６は、目庇１４の基端側において立設した状態で目庇１４と縫着結合される布製の帯状体本体５１と、帯状体本体５１の左右両端部からそれぞれ延出する布製のサイズ調整帯５３とから構成されており、左右のサイズ調整帯５３を係合することで環状をなすようになっている。
【００３５】
帯状体本体５１は前頭部から側頭部にかけた５０ｃｍ程度の長さを有しており、その幅は前頭部から側頭部にかけて４ｃｍ程度から３ｃｍ程度に漸減している。また帯状体本体５１は２枚の帯状布の外縁を縫合したものであり、内周側（頭部側）の帯状布にはキャップ部１２に取り付けられた５個の雄ホックＡ１に対応する位置に雌ホックＢ１が取り付けられている。なおこの雌ホックＢ１は頭部側の帯状布に取り付けられているため、外周側の帯状布にホック留めが露出することはない。
【００３６】
図４からも分かるようにサイズ調整帯５３は帯状体本体５１の左右両端部からそれぞれ延出している。サイズ調整帯５３は、先端に矩形枠状の環５５が取り付けられた７ｃｍ程度の長さの短帯５３ａと、先端から７ｃｍ程度の範囲の外周側に雄の着脱自在テープα３が縫着され基端から６ｃｍ程度の範囲の外周側に雌の着脱自在テープβ３が縫着された全長が１８ｃｍ程度の長帯５３ｂとからなり、長帯５３ｂを環５５に通した状態で適当な位置で折り返して雄雌の着脱自在テープを係合させることで、環状にした帯状体１６の円周長を調節できるようになっている。また、短帯および長帯の基端近傍の外周側には雄ホックＡ２が取り付けられており、この雄ホックＡ２は日除け体２８の雌ホックＢ２と係合して帯状体１６の後頭部に位置する部位に吊下げられた状態で日除け体２８を取り付けるために用いられる。帯状体１６に取り付けられた日除け体２８は使用者の後ろ首筋を日光の直射や太陽熱から保護する。
またサイズ調整帯５３の短帯５３ａおよび長帯５３ｂの内周側には、切欠き部４３と隣接するキャップ部１２下端外周側の雄の着脱自在テープ小片α１に対応する位置に雌の着脱自在テープ小片β１が縫い付けられている。この雌の着脱自在テープ小片β１は前述のようにキャップ部下端の雄の着脱自在テープ小片α１と係合して、サイズ調整の際に切欠き部４３が変形して切欠き部下端がサンバイザー部１８から離脱することを防止する。
【００３７】
以上のように構成されたツーウェイキャップは以下のように使用される。
［通常のキャップとしての使用］
サンバイザー部１８のサイズ調整帯５３によりサイズ調整を行った後、サンバイザー部内周面に取り付けられた５つの各雌ホックＢ１をキャップ部下端外面に取り付けられた５つの雄ホックＡ１と係合する。また、キャップ部下端外周側の雄の着脱自在テープ小片α１をサイズ調整帯５３の短帯５３ａおよび長帯５３ｂの内周側の雌の着脱自在テープ小片β１に係合する。このようにしてキャップ部１２をサンバイザー部１８に結合することで、本実施例のツーウェイキャップは通常の目庇付きのキャップとして使用することができ、また、サンバイザー部１８の帯状体１６がキャップ部下端を巻回する斬新なデザインが提供される。
さらに炎天下などにおいて、使用者が後ろ首筋への日光の直射を避ける必要を感じた場合には、目庇下面のポケット２６から日除け体２８を引き出し、これをサンバイザー部１８の後頭部にホックにより吊下げた状態で取り付けることで、この日除け体２８が日除けとなって使用者の後ろ首筋を日光の直射から保護するとともに、後ろ首筋にかいた汗を吸収してやることができる（図７参照）。
またこの日除け体２８を真水に浸して湿らした後にサンバイザー部１８に取り付けてやれば、気化熱により使用者に冷感を与えることができる。なお日除け体２８が不要となった場合には、これを取り外してポケット２６に収納するが、日除け体２８が湿った状態であってもポケット２６は頭部と接していないため、被り心地の悪化や頭部の蒸れを招くことはない。
［サンバイザーとしての使用］
キャップ部１２を取り外したサンバイザー部１８のみを使用することで、本実施例のツーウェイキャップをサンバイザーとして使用することができる。なおサンバイザー部のみを使用する場合にも必要に応じて、上記と同様に日除け体２８をサンバイザー部の後頭部に取り付けてやることができる。図８にサンバイザー部１８に日除け体２８を取り付けた様子を図示した。
［その他］
キャップ部１２とサンバイザー部１８とを分離することができるため、型崩れしやすく洗濯に適さない目庇１４を外して、頭部と接することで汚れが生じやすいキャップ部１２のみを洗濯機等で洗濯してやることができる。
【実施例２】
【００３８】
図９乃至図１１に実施例２のツーウェイキャップを示した。本実施例のツーウェイキャップは実施例１のツーウェイキャップの変形例であり、実施例１ではキャップ部１２の下端外周側に取り付けられるサンバイザー部１８を、キャップ部１２の下端内周側に取り付けるようにしたものである。なお本実施例の図面において実施例１と同様の構成については、同様の符号を付すことでその説明を省略する。ここで図９はキャップ部の背面図、図１０はサンバイザー部の斜視図、図１１はキャップ部にサンバイザー部を取り付けた状態を表した斜視図である。
【００３９】
図９に示したように本実施例のキャップ部１２’は実施例１のキャップ部１２とほぼ同様の構成を有しているが、雄ホックＡ１がキャップ部の内面側に取り付けられている点が相違する。すなわちキャップ部１２’の下端近傍内周には、切欠き部部分を除く５箇所に、内側に向く雄ホックＡ１が取り付けられている。
また切欠き部４３と隣接するキャップ部下端の内周側には図９に透過的に示したように、雄の着脱自在テープ小片α１が縫い付けられている。
なお本実施例のキャップ部には、実施例１のキャップ部に縫着される吸収体３４は設けられていない。
【００４０】
また図１０に示したように本実施例のサンバイザー部１８’も実施例１のサンバイザー部１８とほぼ同様の構成を有しているが、キャップ部１２に取り付けられた５個の雄ホックＡ１に対応する５個の雌ホックＢ１が、帯状体１６の帯状体本体５１の外周側に取り付けられている点が相違する。なお帯状体本体５１は２枚の帯状布の外縁を縫合したものであり、この雌ホックＢ１は外側の帯状布に取り付けられているため、内周側の帯状布にホック留めが露出することはない。ここで頭部と接することとなる帯状体本体の帯状布には、汗の吸収が適した吸収体を適用することも好ましい。
また帯状体本体５１の後端近傍には、キャップ部下端の雄の着脱自在テープ小片α１に対応する位置に、雌の着脱自在テープβ１が縫い付けられている。
【００４１】
キャップ部１２’の雄ホックＡ１は、サンバイザー部１８’の帯状体本体５１の雌ホックＢ１と係合して、キャップ部１２の下端の内周にサンバイザー部１８を結合する。
またキャップ部１２’の雄の着脱自在テープ小片α１は、サンバイザー部１８’の帯状体本体５１の雌の着脱自在テープ小片β１と係合することで、サイズ調整帯５３によるキャップサイズの調整に伴う切欠き部４３の変形による切欠き部下端のサンバイザー部からの離脱を防止する。
【００４２】
以上説明した本実施例のツーウェイキャップでは、図１１に示したように、キャップ部１２’の下端内面にサンバイザー部１８’の帯状体１６が取り付けられるため、通常の目庇付き帽子と一見しただけでは変わることのないキャップを提供することができる。
なお本実施例においても実施例１と同様に、目庇１４の下面のポケット２６や、後頭部に位置する部位に取り付けられる日除け体２８等の適用が可能なことは勿論である。
【実施例３】
【００４３】
図１２乃至図１８に実施例３のツーウェイキャップを示した。ここで図１２及び図１３は本実施例のツーウェイキャップの斜視図、図１４はキャップ部のみの背面図、図１５は庇部のみの斜視図、図１６は図１２のツーウェイキャップのＹ−Ｙ断面図である。なお本実施例において実施例１と同様の構成については同一符号を付すことで重複した説明を省略する。
【００４４】
これらの図に示したように本実施例のツーウェイキャップは、頭部を覆う椀形状のキャップ部１２と、半月形の目庇１４および目庇１４の基端側において立設する帯状体１６からなる庇部２４と、から構成されており、キャップ部１２と庇部２４とを分離可能とした点を特徴としている。なお図１２において破線で示した部分は庇部２４の帯状体１６を透過的に表している。
【００４５】
図１２乃至図１４に示したようにキャップ部１２は、６枚の三角布片４１（れんげ）を縫着結合して椀形状に形成したものであり、後頭部に位置する部位には、半円形の切欠き部４３が形成されている。この切欠き部４３はキャップ部下端から頭周りに延出するように取り付けられた雄の着脱自在テープα４と雌の着脱自在テープβ４を係合することで、キャップ部１２のサイズを使用者に合わせて調節できるようになっている。切欠き部近傍のキャップ部下端外面側には、日除け体２８を吊下げた状態でキャップ部１２の後頭部に取り付けるための雄ホックＡ３が取り付けられている。
【００４６】
また切欠き部４３が形成された部分以外のキャップ部下端は図１７に示したように、折り返し５７が設けられた二重構造となっている。この折り返しには使用者の両目の上方位置に内側を向く雌ホックＢ４’が２つ取り付けられている（図１２参照）。この雌ホックＢ４’は後述する庇部２４をキャップ部１２に取り付けるために用いられるが、折り返し５７によって覆われているため、キャップ部の内面にホック留めが露出することはない。
【００４７】
さらにキャップ部１２の前面側および側面側となる４枚の三角布片４１の内面側には図１３、図１６、図１７に示したように、これらを内張りするように４枚の三角メッシュ布片を逢着結合して形成した略半椀形状のメッシュ布体５９が配置されている。このメッシュ布体５９はその後ろ側の辺のみが補強布４５とともにキャップ部１２に縫着されており、キャップ部前部側の内面は逢着されたメッシュ布体５９により袋状をなしている。またメッシュ布体５９の下端内周側には汗を吸収するための帯状の吸収体３４が縫い付けられている。なおこの吸収体３４は着脱自在テープ等によりメッシュ布体の下端内周に着脱自在に取り付けることができる構成とすることも勿論可能である。さらにメッシュ布体には、水平方向にほぼ等間隔に５個の雌ホックＢ４”が外側を向けて取り付けられている。この雌ホックＢ４”は下記の庇部２４をキャップ部１２に取り付けるために用いられるが、その内周側には吸収体３４が縫い付けられているため、キャップ部１２の内面にホック留めが露出することはない。
【００４８】
図１５に示した庇部２４は、目庇１４と目庇１４の基端側において立設した状態で目庇１４と縫着結合されるキャップ部１２に固定するための帯状体１６とから構成されている。
目庇１４は実施例１と同様の構造を有し、目庇下面に設けられたポケット２６に日除け体２８を収容している（図１６及び図１７参照）。
帯状体１６は頭側部まで伸びるU字形状を有し、その幅は４ｃｍ程度となっている。帯状体１６の内周側（頭部側）の面にはメッシュ布の下端近傍の雌ホックＢ４”に対応する位置に５つの雄ホックＡ４”が取り付けられ、その外周側の面にはキャップ部１２下端内面の折り返５７の雌ホックＢ４’に対応する位置に２つの雄ホックＡ４’が取り付けられている。
キャップ部１２への庇部２４の取り付けは、キャップ部１２のメッシュ布体５９が袋状をなす部分に帯状体１６の全体を差し入れ、帯状体１６の内外周側の各雄ホックＡ４’，Ａ４”を、メッシュ布体５９および折り返しの各雌ホックＢ４’，Ｂ４”と係合してやることで行われる。
【００４９】
以上のように構成されたツーウェイキャップは、庇部２４をキャップ部１２に取り付けた際には通常の目庇付きキャップとその外観がほとんど変わることがない一方、庇部２４を取り外すことで、例えばヘルメットなどを被るときに用いるつば無しキャップとしてキャップ部１２を使用することができる。また汚れを生じやすいキャップ部１２のみを洗濯機等により容易に洗濯することができる。
【００５０】
また実施例１と同様に、目庇下面のポケット２６から日除け体２８を引き出し、これをキャップ部１２の後頭部にホックにより吊下げて首筋を日光の直射から保護することができる（図１８参照）。
【００５１】
なお実施例１、実施例２および実施例３において、使用者の後ろ首筋に吊下げられた状態で取り付けられた日除け体２８の外側を向く面に、後部の者からの認識性を高めるための着色（反射加工）や後部の者へ伝えたい情報の記載を施してやることも好ましい。
【００５２】
以上説明したように本発明のツーウェイキャップによれば、ファッション性や衛生面を重視しつつ、必要に応じてサンバイザーと目庇付きキャップの何れとしても使用できるツーウェイキャップや例えばヘルメットなどを被るときに用いるつば無しキャップと目庇付きキャップの何れとしても使用できるツーウェイキャップが提供される。
また本発明では、必要な場合には後ろ首筋を直射日光や太陽熱から守る日除け体を装着することができ、日除け体が不要となった場合にはこれを使用者に不快感を与えることなく適宜収納することができるツーウェイキャップが提供される。
【００５３】
なお本発明のツーウェイキャップは、発明の趣旨を逸脱しない範囲で適宜変更することができるのは勿論である。例えば、キャップ部外面や目庇の上面に様々な装飾や着色を施して需要者の購買意欲を刺激したり、宣伝広告のための情報（文字や絵柄）を印刷・刺繍等してやることもできる。
【図面の簡単な説明】
【００５４】
【図１】実施例１のツーウェイキャップの斜視図である。
【図２】実施例１のツーウェイキャップの斜視図である。
【図３】実施例１のキャップ部のみの背面図である。
【図４】実施例１のサンバイザー部のみの斜視図である。
【図５】図１のツーウェイキャップのＸ−Ｘ断面図である。
【図６】図５の円で囲んだ部分の拡大図である。
【図７】日除け体を現した図である。
【図８】日除け体を取り付けたサンバイザー部の斜視図である。
【図９】実施例２のキャップ部のみの背面図である。
【図１０】実施例２のサンバイザー部の斜視図である。
【図１１】実施例２のツーウェイキャップの斜視図である。
【図１２】実施例３のツーウェイキャップの斜視図である。
【図１３】実施例３のツーウェイキャップの斜視図である。
【図１４】実施例３のキャップ部のみの背面図である。
【図１５】実施例３の庇部のみの斜視図である。
【図１６】図１２のツーウェイキャップのＸ−Ｘ断面図である。
【図１７】図１６の円で囲んだ部分の拡大図である。
【図１８】日除け体を取り付けたツーウェイキャップの斜視図である。
【符号の説明】
【００５５】
１０  ツーウェイキャップ
１２  キャップ部
１４  目庇
１６  帯状体
１８  サンバイザー部
２２  着脱手段
２４  庇部
２６  ポケット
２８  日除け体
３２  連結手段
３４  吸収体
４１  三角布片
４３  切欠き部
４５  補強布
５１  帯状体本体
５３  サイズ調整帯
５３ａ  短帯
５３ｂ  長帯
５５  環
５７  折り返し
５９  メッシュ布体
Ａ  雄ホック
Ｂ  雌ホック
α，β  着脱自在テープ
【図１】
2006249647.tif 000003
【図２】
2006249647.tif 000004
【図３】
2006249647.tif 000005
【図４】
2006249647.tif 000006
【図５】
2006249647.tif 000007
【図６】
2006249647.tif 000008
【図７】
2006249647.tif 000009
【図８】
2006249647.tif 000010
【図９】
2006249647.tif 000011
【図１０】
2006249647.tif 000012
【図１１】
2006249647.tif 000013
【図１２】
2006249647.tif 000014
【図１３】
2006249647.tif 000015
【図１４】
2006249647.tif 000016
【図１５】
2006249647.tif 000017
【図１６】
2006249647.tif 000018
【図１７】
2006249647.tif 000019
【図１８】
2006249647.tif 000020